(57)【要約】【課題】バンドソーを安全に切断することができ、使用済みバンドソーを容易に廃棄処理できるようにするバンドソー挟着保持用具を提供する。【解決手段】無端状のバンドソー１２を切断するために該バンドソーを挟着保持するための用具であって、基板４の前面に少なくとも切断具１３が介入できる小間隔ｇを離してバンドソー１２を挟着保持し得るように一対のクランプ５ａ，５ａを固設し、さらに該バンドソーの対向側を挟着保持し得るように前記クランプとは別の一対のクランプ５ｂ，５ｂを該基板の前面に少なくとも切断具１３が介入できる小間隔ｇを離して固設する。【選択図】図４
2008126282.tif 000002
【特許請求の範囲】
【請求項１】
無端状のバンドソーを切断するために該バンドソーを挟着保持するための用具であって、基板の前面に少なくとも切断具が介入できる小間隔を離してバンドソーを挟着保持し得るように一対のクランプを固設し、さらに該バンドソーの対向側を挟着保持し得るように前記クランプとは別の一対のクランプを該基板の前面に少なくとも切断具が介入できる小間隔を離して固設したことを特徴とするバンドソー挟着保持用具。
【発明の詳細な説明】
【技術分野】
【０００１】
本発明は、使用済みのバンドソー（帯鋸刃材）を廃棄し易いように切断処理するに際し、該バンドソーを挟着保持する用具に関するものである。
【背景技術】
【０００２】
バンドソー（帯鋸刃材）は周知のように弾力性のある無端状の帯鋼からなるものである。ところで、新しいものと交換するために帯鋸盤から外した使用済みのバンドソーは、そのままでは嵩張って輸送困難であるので紐で縛って廃却されるが、紐で縛ってもバンドソー自体に弾力性があるために、輸送中に外力が加わったり紐が外れると跳ねて危険であった。このため、従来では作業者が使用済みバンドソーを足で踏んで折ることにより、短い板状にしてからこれらを紐で束ねて廃棄するようにしていた。しかし、バンドソーを踏む際に踏み損なったり足が滑ると、バンドソーが弾力で跳ね上がって非常に危険であり、作業者を怪我させるおそれがあった。
【０００３】
なお、下記特許文献１は帯鋸盤の自動鋸刃交換装置の一例を示すものである。
【特許文献１】特許第３４２６２７６号公報
【発明の開示】
【発明が解決しようとする課題】
【０００４】
そこで、本発明は帯鋸盤から外した使用済みのバンドソーを安全に切断処理し得るように該バンドソーを挟着保持する用具を提供しようとするものである。
【課題を解決するための手段】
【０００５】
そのために請求項１に記載した発明は、無端状のバンドソーを切断するために該バンドソーを挟着保持するための用具であって、基板の前面に少なくとも切断具が介入できる小間隔を離してバンドソーを挟着保持し得るように一対のクランプを固設し、さらに該バンドソーの対向側を挟着保持し得るように前記クランプとは別の一対のクランプを該基板の前面に少なくとも切断具が介入できる小間隔を離して固設したことを特徴とする。
【発明の効果】
【０００６】
本発明に係るバンドソー挟着保持用具を使用することによって、バンドソーを跳ねることなく安全に切断することができ、使用済みバンドソーを容易に廃棄処理できるようになる。
【発明を実施するための最良の形態】
【０００７】
図１は本発明の実施形態を示すバンドソー挟着保持用具の正面図、図２はその側面図である。バンドソー挟着保持用具では移動可能なるように車輪１が設けられた機台２上に支柱３，３が樹立され、正面が方形枠状に形成された基板４が該支柱上に鉛直に支持され、該基板４の前面上部に１０ｃｍ程の小間隔ｇを離して一対のクランプ５ａ，５ａを固設し、該基板４の前面下部にも同程度の小間隔ｇを離して一対のクランプ５ｂ，５ｂを固設している。該各クランプは図３に示したように基板４の前面に乗板６と組付板７とをそれぞれ適宜隙間ｈを離して水平棚板状に溶接により固設すると共に、該組付板７の中心部に透孔を形成し該透孔に合致するように組付板７上にナット８を溶接により固着し、上端部にＴ字形のハンドル部９が形成された締付軸１０を該ナット８に螺合してなる。なお、１１，１１は基板４の前面下縁部より前方に水平に突設した棒状棚部材である。
【０００８】
このため、図４に示したように、帯鋸盤から外した使用済みのバンドソー１２を、クランプ５ａ，５ａ，５ｂ，５ｂの隙間ｈに通すと共に、該各クランプのハンドル部９を操作して締付軸１０を下方に螺進させ該締付軸の下端を該バンドソー１２に圧着させることにより、該バンドソー１２の４点を図示したように該各クランプによって挟着保持する。そして、この状態で上部のクランプ５ａ，５ａの小間隔ｇに、例えばプラズマ切断機、放電加工切断機のような切断具１３を介入させ、該バンドソー１２を該クランプ５ａ，５ａ間にて切断する。また、下部のクランプ５ｂ，５ｂの小間隔ｇにも同様の切断具１３を介入させ、該バンドソー１２をクランプ５ｂ，５ｂ間にて切断する。これによって、無端状であったバンドソー１２は２つに分断される。
【０００９】
次いで２つに分断されたバンドソー１２ａ，１２ｂをクランプ５ａ，５ａ，ｂ，５ｂを締め直すことにより、図５に示したように、クランプ５ａ，５ａとクランプ５ｂ，５ｂとにそれぞれ挟着保持する。そして、該各バンドソー１２ａ，１２ｂをさらに小間隔ｇに上記切断具１３を介入することによってそれぞれ切断する。これによってバンドソー１２は４本の直線状のもの分断される。そこで該各クランプ５ａ，５ａ，５ｂ，５ｂを解放し、図６に示したように、これら４本を前記棒状棚部材１１，１１上に仮置きする。そして締結具（インシュロック）１４によりこれら４本を束ねて縛る。これによりバンドソー１２は取り扱いが容易で廃棄し易い状態となる。
【００１０】
このように本発明のバンドソー挟着保持用具は、無端状のバンドソー１２の４点をそれぞれクランプ５ａ，５ａ，５ｂ，５ｂによって挟着保持し、上部のクランプ５ａ，５ａの間、および下部のクランプ５ｂ，５ｂの間にてそれぞれ切断し得るようにしたものであるので、その切断時に該バンドソー１２が弾力性によって跳ねることなく、安全に切断することができる。このため、作業中の事故も無くなり、使用済みのバンドソーを簡単に廃棄できるようになる。
【００１１】
なおこの実施形態では、ナット８に螺合された締付軸１０を回転させる方式のクランプを説明したが、周知のレバー・トグル方式のクランプによって本発明のバンドソー挟着保持用具を構成することもできる。また、切断具１３としてはガス切断機、アーク切断機等、その他の切断具を使用することもできる。
【図面の簡単な説明】
【００１２】
【図１】本発明の実施形態を示すバンドソー挟着保持用具の正面図。
【図２】本発明の実施形態を示すバンドソー挟着保持用具の側面図。
【図３】図１のＡ−Ａ線断面拡大図。
【図４】本発明に係るバンドソー挟着保持用具の使用状態を示した正面図。
【図５】本発明に係るバンドソー挟着保持用具の使用状態を示した正面図。
【図６】本発明に係るバンドソー挟着保持用具の使用状態を示した正面図。
【符号の説明】
【００１３】
４            基板
５ａ，５ａ    クランプ
５ｂ，５ｂ    クランプ
６            乗板
７            組付板
８            ナット
９            ハンドル部
１０          締付軸
１１，１１    棒状棚部材
１２          バンドソー
１３          切断具
ｇ            小間隔
ｈ            隙間
【図１】
2008126282.tif 000003
【図２】
2008126282.tif 000004
【図３】
2008126282.tif 000005
【図４】
2008126282.tif 000006
【図５】
2008126282.tif 000007
【図６】
2008126282.tif 000008